(57)【要約】【課題】無線アクセスポイント装置に無線クライアント端末が１台も無線接続されていない場合について、ビーコン信号の送信動作による消費電力を削減可能であると共に、パッシブスキャン方式による無線接続を実現可能な技術を提供する。【解決手段】確率算出部１６２は、記憶部１６１に蓄積された過去の接続情報を所定の確率算出処理で以て処理することにより無線接続の発生確率を時間帯毎に求める。ビーコン信号設定部１６３は、待機モードで用いるビーコン信号の送信頻度および送信電力を所定条件に従って決定する。上記所定条件は、送信頻度と送信電力のいずれも零よりも大きく通常モード時と同等以下の範囲で調整するという範囲条件と、送信頻度と送信電力のうちの少なくとも一方を上記発生確率の高低に応じて増減するという調整条件とを含む。【選択図】図２
2013258625.tif 000002
【特許請求の範囲】
【請求項１】
無線クライアント端末との間で無線信号の送受信を行う無線通信処理部と、
前記無線通信処理部を介して前記無線クライアント端末との無線接続を制御する接続制御部と、
前記接続制御部から前記無線接続に関する所定の接続情報を取得し当該接続情報を管理する接続情報管理部と
を備え、
前記接続制御部は、前記無線接続に利用するビーコン信号を、前記無線クライアント端末が１台以上接続されている場合に適用される通常モード、または、前記無線クライアント端末が１台も接続されていない場合に適用される待機モードに従って、前記無線通信処理部に前記無線信号として送信させ、
前記接続情報管理部は、
前記接続制御部から取得した前記接続情報を蓄積する記憶部と、
前記記憶部に蓄積された過去の接続情報を所定の確率算出処理で以て処理することにより、前記無線接続の発生確率を時間帯毎に求める確率算出部と、
前記待機モードで用いる前記ビーコン信号の送信頻度および送信電力を所定条件に従って決定するビーコン信号設定部と
を含み、
前記所定条件は、
前記送信頻度と前記送信電力のいずれも零よりも大きく前記通常モード時と同等以下の範囲で調整するという範囲条件と、
前記送信頻度と前記送信電力のうちの少なくとも一方を前記発生確率の高低に応じて増減するという調整条件と
を含む、無線アクセスポイント装置。
【請求項２】
請求項１に記載の無線アクセスポイント装置であって、
前記確率算出部は、前記記憶部に予め登録された無線クライアント端末について前記発生確率を求め、
前記接続情報管理部は、前記記憶部に対する前記無線クライアント端末の登録および登録削除を、ユーザの指示に従ってまたは自動的に行う登録処理部をさらに含む、
無線アクセスポイント装置。
【請求項３】
請求項２に記載の無線アクセスポイント装置であって、
前記接続情報管理部の前記ビーコン信号設定部は、前記待機モード中に前記予め登録された無線クライアント端末からの無線接続要求を認識したならば、即座に前記通常モードに切り替える、無線アクセスポイント装置。
【請求項４】
無線クライアント端末との無線接続にビーコン信号を利用する無線通信制御方法であって、
（ａ）前記無線接続に関する所定の接続情報を取得する工程と、
（ｂ）前記工程（ａ）によって蓄積された過去の接続情報に基づいて前記ビーコン信号の設定を決定する工程と
を備え、
前記工程（ｂ）は、
（ｂ−１）前記過去の接続情報を所定の確率算出処理で以て処理することにより、前記無線接続の発生確率を時間帯毎に求める工程と、
（ｂ−２）前記無線クライアント端末が１台も接続されていない場合に適用される待機モードで用いる前記ビーコン信号の送信頻度および送信電力を、所定条件に従って決定する工程と
を含み、
前記所定条件は、
前記送信頻度と前記送信電力のいずれも零よりも大きく、前記無線クライアント端末が１台以上接続されている場合に適用される通常モード時と同等以下の範囲で調整するという範囲条件と、
前記送信頻度と前記送信電力のうちの少なくとも一方を前記発生確率の高低に応じて増減するという調整条件と
を含む、無線通信制御方法。
【請求項５】
請求項４に記載の無線通信制御方法であって、
前記工程（ｂ−１）では記憶部に予め登録された無線クライアント端末について前記発生確率を求め、
当該無線通信制御方法は、
（ｃ）前記記憶部に対する前記無線クライアント端末の登録および登録削除を、ユーザの指示に従ってまたは自動的に行う工程
をさらに備える、無線通信制御方法。
【請求項６】
請求項５に記載の無線通信制御方法であって、
前記工程（ｂ）は、（ｂ−３）前記待機モード中に前記予め登録された無線クライアント端末からの無線接続要求を認識したならば、即座に前記通常モードに切り替える工程をさらに含む、無線通信制御方法。
【発明の詳細な説明】
【技術分野】
【０００１】
本発明は、無線アクセスポイント装置および無線通信制御方法に関する。
【背景技術】
【０００２】
ＩＥＥＥ（Institute of Electrical and Electronics Engineers）８０２．１１規格には、無線ＬＡＮ（Local Area Network）の動作モードとして、インフラストラクチャモードとアドホックモードとが規定されている。インフラストラクチャモードでは、無線クライアント端末が無線アクセスポイント装置に無線接続することにより、その端末は無線アクセスポイント装置を介して他の端末と通信可能になる。
【０００３】
一般的に無線アクセスポイント装置は、無線クライアント端末との無線通信の接続手順として、無線アクセスポイント装置からビーコン信号を送出することによって接続処理を開始するパッシブスキャン方式（図５参照）と、無線クライアント端末から通信接続を要求することによって接続処理を開始するアクティブスキャン方式（図６参照）と、の両方をサポートしている。
【先行技術文献】
【特許文献】
【０００４】
【特許文献１】特開２００３−３４８１０４号公報
【特許文献２】特開２０１１−２１１６１３号公報
【発明の概要】
【発明が解決しようとする課題】
【０００５】
上記のように一般的な無線アクセスポイント装置はパッシブスキャン方式とアクティブスキャン方式の両方をサポートしているので、無線アクセスポイント装置は、無線クライアント端末をスキャンするためにビーコン信号を常時出力しており、かつ、無線クライアント端末からの通信接続要求を受信できるように常時待機している。このため、無線アクセスポイント装置は、無線クライアント端末が１台も接続されていない状況においても電源が常時入った状態にあり、電力を消費している。
【０００６】
ここで、上記特許文献１に開示された無線アクセスポイント装置では、無線アクセスポイントエリア内に通信すべき無線クライアント端末が存在しない場合には、消費電力の削減のために、ビーコン信号の送出を抑制する。
【０００７】
また、上記特許文献２に開示された無線アクセスポイント装置では、ＧＵＩ（Graphical User Interface）等を使って予め省電力モードに設定されている場合には送信用回路における通信動作を停止させ、無線クライアント端末からの接続要求を検知した場合に送信用回路を起動させる。
【０００８】
しかしながら、上記特許文献１，２に開示された技術によれば、消費電力を削減するためにビーコン信号の送信を停止すると、その停止期間中は、パッシブスキャン方式に対応した無線クライアント端末が無線アクセスポイント装置に接続できないことになる。
【０００９】
本発明は、無線アクセスポイント装置に無線クライアント端末が１台も無線接続されていない場合について、ビーコン信号の送信動作による消費電力を削減可能であると共に、パッシブスキャン方式による無線接続を実現可能な技術を提供することを目的とする。
【課題を解決するための手段】
【００１０】
本発明の一態様に係る無線アクセスポイント装置は、無線クライアント端末との間で無線信号の送受信を行う無線通信処理部と、前記無線通信処理部を介して前記無線クライアント端末との無線接続を制御する接続制御部と、前記接続制御部から前記無線接続に関する所定の接続情報を取得し当該接続情報を管理する接続情報管理部とを含む。前記接続制御部は、前記無線接続に利用するビーコン信号を、前記無線クライアント端末が１台以上接続されている場合に適用される通常モード、または、前記無線クライアント端末が１台も接続されていない場合に適用される待機モードに従って、前記無線通信処理部に前記無線信号として送信させる。前記接続情報管理部は、前記接続制御部から取得した前記接続情報を蓄積する記憶部と、前記記憶部に蓄積された過去の接続情報を所定の確率算出処理で以て処理することにより、前記無線接続の発生確率を時間帯毎に求める確率算出部と、前記待機モードで用いる前記ビーコン信号の送信頻度および送信電力を所定条件に従って決定するビーコン信号設定部とを含む。前記所定条件は、前記送信頻度と前記送信電力のいずれも零よりも大きく前記通常モード時と同等以下の範囲で調整するという範囲条件と、前記送信頻度と前記送信電力のうちの少なくとも一方を前記発生確率の高低に応じて増減するという調整条件とを含む。
【発明の効果】
【００１１】
上記一態様によれば、無線アクセスポイント装置に無線クライアント端末が１台も無線接続されていない場合、すなわち待機モードが適用されている場合、ビーコン信号の送信頻度および／または送信電力を抑制可能である。これにより、ビーコン信号の送信動作による消費電力を削減可能である。
【００１２】
また、待機モードによれば、ビーコン信号の送信頻度と送信電力の両方が零よりも大きく設定されるので、無線クライアント端末が１台も無線接続されていない場合であってもビーコン信号の送信自体は維持される。このため、ビーコン信号の送信を完全に停止させる制御とは異なり、無線クライアント端末が１台も無線接続されていない場合であっても、パッシブスキャン方式による無線接続を実現できる。その結果、利便性が向上する。
【００１３】
また、待機モードの内容は、過去の接続情報から算出された、無線接続の発生確率に基づいて決定される。このため、発生確率が低い時間帯では電力削減を優先させ、逆に発生確率が高い時間帯では無線接続の確実性、換言すれば利便性を優先させることができる。それにより、電力削減と利便性を効果的に両立可能である。
【００１４】
本発明の目的、特徴、局面、および利点は、以下の詳細な説明と添付図面とによって、より明白となる。
【図面の簡単な説明】
【００１５】
【図１】実施の形態１に係る無線通信システムを例示するブロック図である。
【図２】実施の形態１に係る無線アクセスポイント装置を例示するブロック図である。
【図３】実施の形態１に係る確率算出部およびビーコン信号設定部の動作を例示するフローチャートである。
【図４】実施の形態２に係る無線アクセスポイント装置を例示するブロック図である。
【図５】パッシブスキャン方式を説明するシーケンス図である。
【図６】アクティブスキャン方式を説明するシーケンス図である。
【発明を実施するための形態】
【００１６】
＜実施の形態１＞
＜無線通信システム１＞
図１に、実施の形態１に係る無線通信システム１のブロック図を例示する。図１に示すように、無線アクセスポイント装置１０（例えば家庭内に設置される）は無線クライアント端末２０と無線通信を行い、これにより無線ＬＡＮが構築されている。無線クライアント端末２０の台数は図示の例に限定されるものではない。
【００１７】
無線通信システム１は、ＩＥＥＥ８０２．１１規格のインフラストラクチャモードに対応するように構成されている。また、無線アクセスポイント装置１０はパッシブスキャン方式（図５参照）に準拠している。無線アクセスポイント装置１０は、さらにアクティブスキャン方式（図６参照）に準拠していてもよい。
【００１８】
図１の例では、無線アクセスポイント装置１０が回線終端装置１１を介して、通信回線１２に接続されている。かかる例によれば、無線クライアント端末２０は、無線アクセスポイント装置１０、回線終端装置１１および通信回線１２を介して、インターネット等に接続可能である。なお、無線アクセスポイント装置１０は、例えば、回線終端装置１１と一体化されても構わないし、あるいは、ホームゲートウェイ装置相当の機能を持っていても構わない。
【００１９】
なお、無線アクセスポイント装置１０をアクセスポイント装置１０と称し、無線クライアント端末２０をクライアント端末２０または端末２０と称する場合もある。
【００２０】
＜無線アクセスポイント装置１０＞
図２に、アクセスポイント装置１０のブロック図を例示する。なお、図２には回線終端装置１１も図示している。図２の例によれば、アクセスポイント装置１０は、無線通信処理部１２０と、接続制御部１４０と、接続情報管理部１６０とを含んでいる。なお、これらの要素１２０，１４０，１６０による各種処理および各種機能は、プロセッサが所定のプログラムを実行することによってソフトウェア的に実現されてもよいし、あるいは、それ用に構成された回路や装置によってハードウェア的に実現されてもよいし、あるいは、ソフトウェアとハードウェアの組み合わせによって実現されてもよい。
【００２１】
＜無線通信処理部１２０＞
無線通信処理部１２０は、端末２０との間で無線信号の送受信を行う。例えば、無線通信処理部１２０は、アンテナ１００を介して受信した無線信号を、アクセスポイント装置１０内で処理可能な形式のデータに変換し、また、送信対象のデータを無線信号に変換してアンテナ１００から送信する。
【００２２】
図２の例では、無線通信処理部１２０は、ＲＦ（Radio Frequency）処理部１２１と、ベースバンド信号処理部１２２と、ＭＡＣ（Media Access Control）フレーム処理部１２３とを含んでいる。
【００２３】
無線信号の受信について概説する。ＲＦ処理部１２１は、アンテナ１００を介して受信した無線信号を、ベースバンド信号処理部１２２で処理可能な形式の信号（ベースバンド信号）に変換する。ＲＦ処理部１２１の出力信号から、ベースバンド信号処理部１２２がＭＡＣフレームを抽出し、そのＭＡＣフレームの内容をＭＡＣフレーム処理部１２３が解釈する。
【００２４】
そして、ＭＡＣフレーム処理部１２３は、解釈結果に応じて、ＭＡＣフレームを処理する。例えば、受信ＭＡＣフレームがインターネットへ送信すべきものである場合、ＭＡＣフレーム処理部１２３は、必要に応じて所定の処理を行った後に、受信ＭＡＣフレームを回線終端装置１１へ出力する。また、受信ＭＡＣフレームがいわゆるマネージメントフレームである場合、ＭＡＣフレーム処理部１２３は、そのマネージメントフレームを接続制御部１４０へ出力する。
【００２５】
無線信号の送信について概説する。ＭＡＣフレーム処理部１２３は、回線終端装置１１や接続制御部１４０から入力される送信対象フレームを、ＭＡＣフレームに加工する。生成されたＭＡＣフレームは、ベースバンド信号処理部１２２によってベースバンド信号に変換され、その後、ＲＦ処理部１２１によって無線信号に変換され、それによりアンテナ１００から無線信号として送信される。
【００２６】
＜接続制御部１４０＞
接続制御部１４０は、無線通信処理部１２０を介してクライアント端末２０との無線接続を制御する。例えば、接続制御部１４０は、受信したマネージメントフレームに応じた処理、送信するマネージメントフレームの生成処理、等によって、端末２０との無線接続を制御する。図２の例では、接続制御部１４０は、ビーコン信号生成処理部１４１と、端末認証処理部１４２と、端末接続処理部１４３とを含んでいる。これらの要素１４１，１４２，１４３の動作は後述する。なお、接続制御部１４０は、これらの処理部１４１，１４２，１４３以外にも、各種のマネージメントフレーム用の処理部を含むことができる。以下では、接続制御部１４０をマネージメントフレーム処理部１４０と称する場合もある。
【００２７】
＜接続情報管理部１６０＞
接続情報管理部１６０は、マネージメントフレーム処理部１４０から、端末２０との無線接続に関する所定の接続情報を取得し、当該接続情報を管理する。また、接続情報管理部１６０は、管理している接続情報を利用して、マネージメントフレーム処理部１４０のビーコン信号生成処理部１４１を制御する。図２の例では、接続情報管理部１６０は、記憶部１６１と、確率算出部１６２と、ビーコン信号設定部１６３とを含んでいる。これらの要素１６１，１６２，１６３の動作は後述する。
【００２８】
＜パッシブスキャン方式による動作＞
パッシブスキャン方式（図５参照）では、アクセスポイント装置１０のビーコン信号生成処理部１４１がビーコン信号（具体的にはビーコンフレーム）を生成し、生成されたビーコン信号はＭＡＣフレーム処理部１２３、ベースバンド信号処理部１２２、ＲＦ信号処理部１２１およびアンテナ１００を介して、複数の端末２０向けにブロードキャストされる。ビーコン信号は周期的に送信される（例えば１００ｍｓ周期）。
【００２９】
これに対し、ユーザからアクセスポイント装置１０との無線接続を指示された端末２０は、ビーコン信号を受信すると、Authenticationフレームをアクセスポイント装置１０宛に送信する。
【００３０】
アクセスポイント装置１０がAuthenticationフレームを受信すると、その受信フレームは端末認証処理部１４２による認証処理に供され、端末認証処理部１４２は返送用のAuthenticationフレームをＭＡＣフレーム処理部１２３へ出力する。かかるAuthenticationフレームは、先にAuthenticationフレームを送信してきた端末２０宛に返送される。なお、Shared Key方式の場合、アクセスポイント装置１０と端末２０との間で、合計４つのAuthenticationフレームがやり取りされる。
【００３１】
認証手順が完了した端末２０は、アクセスポイント装置１０宛にAssociation Requestフレームを送信する。アクセスポイント装置１０では、Association Requestフレームの受信に対して、端末接続処理部１４３がAssociation Responseフレームを生成してＭＡＣフレーム処理部１２３へ出力する。かかるAssociation Responseフレームは、Association Requestフレームを送信してきた端末２０宛に返送される。
【００３２】
そして、Association RequestおよびAssociation Responseによる接続シーケンスが完了すると、端末２０は、アクセスポイント装置１０を介した他の端末２０との通信や、アクセスポイント装置１０、回線終端装置１１および通信回線１２を介したインターネット通信が可能になる（ユーザデータ通信）。
【００３３】
ここで、アクセスポイント装置１０では、ビーコン信号の送信に通常モードと待機モードがある。通常モードは、アクセスポイント装置１０に端末２０が１台以上接続されている場合に適用され、待機モードは、アクセスポイント装置１０に端末２０が１台も接続されていない場合に適用される。
【００３４】
通常モードでは、例えば、ビーコン信号が所定周期で以て連続的に出力される。これに対し、待機モードでは、ビーコンの送信頻度（換言すれば、単位時間当たりの送信回数）と送信電力の一方または両方が、通常モードと同等以下に調整される。但し、待機モードであってもビーコン信号の送信は完全に停止されることはない。
【００３５】
なお、送信回数の抑制手法として、例えば、ビーコン信号を連続的に送信するがその周期を低減する手法、ビーコン信号を通常モードと同じ周期で送信するが送信停止期間を設けて間欠的に送信する手法、それらを組み合わせた手法、等を採用可能である。
【００３６】
上記の動作例から分かるように、ビーコン信号の無線送信は、ビーコン信号生成処理部１４１がビーコン信号（ビーコンフレーム）をＭＡＣフレーム処理部１２３へ出力することによって、行われる。換言すれば、マネージメントフレーム処理部１４０が、無線通信処理部１２０に対して、無線信号のビーコン信号を出力するように指示している。
【００３７】
この際、ビーコン信号に関する具体的な設定情報は、接続情報管理部１６０のビーコン信号設定部１６３から、ビーコン信号生成処理部１４１へ与えられる。換言すれば、通常モードと待機モードの区別や、待機モードにおける送信頻度および送信電力の設定に関する情報は、接続情報管理部１６０によって提供される。
【００３８】
以下では、待機モードにおけるビーコン信号の制御を詳述する。
【００３９】
マネージメントフレーム処理部１４０の端末接続処理部１４３は、端末２０との無線接続処理が完了した後、その無線接続に関する接続情報を接続情報管理部１６０へ通知する。通知する接続情報には、例えば、接続した端末２０を識別するための識別情報（ここではＭＡＣアドレスを例示するが、これに限定されるものではない）、接続状態に在る旨の情報、接続状態の開始時刻、等が含まれる。
【００４０】
また、端末接続処理部１４３は、無線接続中の端末２０からDeauthenticationフレームを受信することによって、無線接続が終了した場合（換言すれば、未接続状態が開始した場合）にも、接続情報を接続情報管理部１６０へ通知する。この場合の接続情報には、例えば、接続が終了した端末２０の識別情報、未接続状態にある旨の情報、未接続状態の開始時刻、等が含まれる。なお、無線接続の終了を、例えば一定期間、無線通信が実行されていない（換言すれば、無線フレームの送信が無い）ことを以て判断してもよく、そのような場合にもマネージメントフレーム処理部１４０は上記の情報通知を行う。
【００４１】
このようにマネージメントフレーム処理部１４０は、無線接続の状態変化を、接続情報管理部１６０へ通知する。接続情報管理部１６０では、通知された接続情報は、記憶部１６１に格納される。なお、接続状態および未接続状態の開始時刻の代わりに、例えばマネージメントフレーム処理部１４０から通知を受領した時刻を利用してもよい。
【００４２】
記憶部１６１は、半導体メモリ、ハードディスク装置等の１種類または複数種類の記憶装置で構成され、マネージメントフレーム処理部１４０から通知される接続情報を蓄積している。ここでは、記憶部１６１に、少なくとも直近の過去１日分のデータが蓄積されるものとする。
【００４３】
かかる蓄積データは確率算出部１６２によって利用され、確率算出部１６２による算出結果はビーコン信号設定部１６３に供される。図３に、確率算出部１６２およびビーコン信号設定部１６３の動作フローを例示する。ここでは、図３に例示のフローは、毎日定刻（例えば０時０分０秒）に起動し、その定刻後の１日分について待機モードでのビーコン信号を設定する。但し、確率算出部１６２およびビーコン信号設定部１６３の動作はこの例に限定されるものではない。
【００４４】
確率算出部１６２は、記憶部１６１に蓄積された過去の接続情報を所定の確率算出処理で以て処理することにより、無線接続の発生確率を時間帯毎に求める。具体的には、ｉを１日のうちの時間帯を示す変数とし当該変数ｉをインクリメントすることでループ処理を行い（ステップＳ１００，Ｓ１１０）、１日のうちの各時間帯について無線接続発生確率を算出する。ここでは上記時間帯が１時間単位であり変数ｉが０≦ｉ＜２４の範囲でインクリメントされる場合を例示するが、時間帯の選定はこの例に限定されるものではない。
【００４５】
図３に例示のフローによれば、確率算出部１６２は、ステップＳ１００で変数ｉの値を設定すると、記憶部１６１に蓄積された昨日の接続情報（すなわち直近の過去１日分の接続情報）を参照して、昨日のｉ時から｛ｉ＋１｝時までの時間帯（処理対象時間帯）に端末２０が１台以上、アクセスポイント装置１０に接続していたか否かをチェックする（ステップＳ１０１）。その結果がＹｅｓの場合、処理対象時間帯の無線接続発生確率Ｐ［ｉ］を１に設定する（ステップＳ１０２）。一方、上記ステップＳ１０１での結果がＮｏの場合、処理対象時間帯の無線接続発生確率Ｐ［ｉ］を０に設定する（ステップＳ１０３）。
【００４６】
次に、得られた発生確率Ｐ［ｉ］と、昨日よりも過去の（すなわち一昨日以前の）同じ時間帯の無線接続発生確率Ｐ［ｉ］との平均値Ｐave［ｉ］を算出する（ステップＳ１０４）。かかる平均発生確率Ｐave［ｉ］は例えば、
Ｐave［ｉ］＝（１−α）×Ｐ［ｉ］＋α×Ｐaveold［ｉ］  …（式１）
によって算出される。式１において、Ｐ［ｉ］はステップＳ１０２，Ｓ１０３で求めた昨日の発生確率であり、Ｐaveold［ｉ］は一昨日以前の発生確率の平均値であり、αは忘却係数である。忘却係数αの値は予め選定されているものとする。
【００４７】
ここで、Ｐaveold［ｉ］は、昨日算出したＰave［ｉ］を記憶部１６１に保存しておくことによって取得可能である。あるいは、一昨日以前の各日のＰ［ｉ］から式（１）の実行時にＰaveold［ｉ］を算出してもよい。その場合、一昨日以前の各日のＰ［ｉ］は、記憶部１６１に保存しておいたものを利用してもよいし、あるいは、一昨日以前の各日の接続情報を記憶部１６１に保存しておきそれらから式（１）の実行時に算出してもよい。
【００４８】
なお、式（１）以外の手法によって、平均発生確率Ｐave［ｉ］を求めてもよい。
【００４９】
図３のフロー例によれば、次に、ビーコン信号設定部１６３が平均発生確率Ｐave［ｉ］に基づいて、待機モードにおけるビーコン信号の内容（送信頻度と送信電力）を決定する（ステップＳ１０５〜Ｓ１０９）。この際、ビーコン信号設定部１６３は、ビーコン信号の送信頻度と送信電力のうちの少なくとも一方を、上記ステップＳ１０４で算出された発生確率Ｐave［ｉ］の高低に応じて、増減するという条件（調整条件）に従って決定する。また、この際、ビーコン信号設定部１６３は、ビーコン信号の送信頻度と送信電力のいずれも零よりも大きく通常モード時と同等以下の範囲で調整するという条件（範囲条件）にも従う。
【００５０】
具体的には、ステップＳ１０４で求めた発生確率Ｐave［ｉ］を予め設定された閾値Ｐthaと比較する（ステップＳ１０５）。そして、Ｐave［ｉ］＞Ｐthaの場合、処理対象時間帯、すなわちｉ時から｛ｉ＋１｝時までの時間帯に対して、ビーコン信号の送信頻度と送信電力の両方を通常モード時と同じに設定する旨をスケジュールする（ステップＳ１０７）。
【００５１】
一方、上記ステップＳ１０５でＰave［ｉ］≦Ｐthaと判定した場合、上記ステップＳ１０４で求めた発生確率Ｐave［ｉ］を予め設定された閾値Ｐthb（＜Ｐtha）と比較する（ステップＳ１０６）。そして、Ｐave［ｉ］＞Ｐthbの場合、処理対象時間帯に対して、送信頻度を１分間の送信と１分間の送信停止の繰り返しに設定し、かつ、送信電力を通常モードの５０％に設定する旨をスケジュールする（ステップＳ１０８）。
【００５２】
一方、上記ステップＳ１０６でＰave［ｉ］≦Ｐthbと判定した場合、処理対象時間帯に対して、送信頻度を１分間の送信と９分間の送信停止の繰り返しに設定し、かつ、送信電力を通常モードの１０％に設定する旨をスケジュールする（ステップＳ１０９）。
【００５３】
なお、閾値の個数および値、各閾値に対する送信頻度および送信電力の設定内容は、上記の例に限定されるものではない。
【００５４】
その後、次の処理対象時間帯について設定を行うために、上記ステップＳ１００へ戻る。一方、全ての処理対象時間帯について設定が終了するとステップＳ１００〜Ｓ１１０によるループ処理を抜けて、ステップＳ１１１が実行される。
【００５５】
ステップＳ１１１では、図３の動作フローを起動した定時（ここでは０時０分０秒）において継続している無線接続を、その定時に新たに生じた無線接続として、記憶部１６１に記録する。なお、記憶部１６１内の各種データは必要に応じて適宜、クリアする。
【００５６】
ビーコン信号設定部１６３は、待機モードの場合すなわちアクセスポイント装置１０に端末２０が１台も接続されていない場合、上記動作フローによって設定した時間帯毎の設定内容に従って、ビーコン信号生成処理部１４１にビーコン信号（ビーコンフレーム）を生成させる。なお、待機モード中に端末２０が１台以上接続されることになった場合は、通常モード用のビーコン信号生成内容（具体的には、所定周期のビーコン信号を、所定送信電力で以て、連続的に送信する）に切り替える。逆に、通常モード中に端末２０が１台も接続されなくなった場合には、上記動作フローでスケジュールしたビーコン信号生成内容に切り替える。
【００５７】
ここで、ビーコン信号設定部１６３は、端末２０がアクセスポイント装置１０に接続されているか否かを、例えばマネージメントフレーム処理部１４０の端末接続処理部１４３から通知される無線接続の状態変化から、認識可能である。なお、ビーコン信号設定部１６３は無線接続情報を、端末接続処理部１４３から直接取得してもよいし、あるいは、記憶部１６１に格納されたものを参照してもよい。
【００５８】
上記動作によれば、アクセスポイント装置１０に端末１０が１台も無線接続されていない場合、すなわち待機モードが適用されている場合、ビーコン信号の送信頻度および／または送信電力を抑制可能である。これにより、ビーコン信号の送信動作による消費電力を削減可能である。
【００５９】
また、待機モードによれば、ビーコン信号の送信頻度と送信電力の両方が零よりも大きく設定されるので、端末２０が１台も無線接続されていない場合であってもビーコン信号の送信自体は維持される。このため、ビーコン信号の送信を完全に停止させる制御とは異なり、端末２０が１台も無線接続されていない場合であっても、パッシブスキャン方式による無線接続を実現できる。その結果、利便性が向上する。
【００６０】
また、待機モードの内容は、過去の接続情報から算出された、無線接続の発生確率Ｐaveに基づいて決定される。このため、発生確率Ｐaveが低い時間帯では電力削減を優先させ、逆に発生確率Ｐaveが高い時間帯では無線接続の確実性、換言すれば利便性を優先させることができる。それにより、電力削減と利便性を効果的に両立可能である。
【００６１】
＜実施の形態２＞
図４に、実施の形態２に係るアクセスポイント装置１０Ｂのブロック図を例示する。実施の形態２に係る無線アクセスポイント装置１０Ｂは、実施の形態１に係る無線アクセスポイント装置１０に代えて、図１に例示した無線通信システム１を構成可能である。
【００６２】
図４の例によれば、実施の形態２に係るアクセスポイント装置１０Ｂは、実施の形態１に係るアクセスポイント装置１０において接続情報管理部１６０を接続情報管理部１６０Ｂに変更した構成を有している。実施の形態２に係る接続情報管理部１６０Ｂは、実施の形態１に係る接続情報管理部１６０に、登録処理部１６４を追加した構成を有している。アクセスポイント装置１０Ｂのその他の構成は、基本的に、アクセスポイント装置１０と同様である。
【００６３】
アクセスポイント装置１０Ｂでは、確率算出部１６２は、予め登録された端末２０についてのみ無線接続発生確率Ｐaveを求める。なお、登録された端末２０の台数は１台であってもよいし、複数台であってもよい。かかる登録は、例えば、端末２０の識別情報（ここではＭＡＣアドレスを例示するが、これに限定されるものではない）が記憶部１６１に格納されることによって、実現される。これにより、確率算出部１６２は、記憶部１６１内の登録情報を参照することで、確率算出対象の端末２０であるか否かを識別可能である。
【００６４】
なお、記憶部１６１には、かかる登録に関連する情報、実施の形態１で説明した接続情報、等が格納されるが、各種情報は同じ記憶装置に記憶領域を分けて格納されてもよいし、あるいは、別々の記憶装置に格納されてもよい。
【００６５】
登録処理部１６４は、端末２０の登録および登録削除を、ユーザの指示に従ってまたは自動的に行う。
【００６６】
例えば、登録処理部１６４に、確率算出対象の登録およびその削除を行うためのＷｅｂ−ＧＵＩ機能が搭載される。この例によれば、ユーザは、端末２０から、あるいは、インターネット等に接続された端末から、アクセスポイント装置１０Ｂにアクセスして登録処理部１６４の上記Ｗｅｂ−ＧＵＩ機能を操作することにより、端末２０の登録およびその削除を行うことが可能である。
【００６７】
また、実施の形態１で例示したように、端末２０との無線接続処理が完了すると、マネージメントフレーム処理部１４０の端末接続処理部１４３がその無線接続に関する接続情報を接続情報管理部１６０へ通知する。そこで、例えば、登録処理部１６４は、当該通知に係る端末２０が登録されていないと判断した場合、その端末２０を自動的に登録するようにしてもよい。
【００６８】
自動登録された情報は、上記のＷｅｂ−ＧＵＩによって、登録削除を実行可能である。Ｗｅｂ−ＧＵＩによる登録削除に代えてまたは加えて、登録処理部１６４が自動登録削除を行うようにしてもよい。例えば、登録に有効期限を設ける。より具体的には、登録された各端末２０について有効期限内に再度、無線接続したか否かを監視し、有効期限内に再度、無線接続しなかった端末２０の登録を削除するようにすればよい。
【００６９】
かかる端末登録によれば、登録済みの端末２０が使用される時間帯および使用されない時間帯に応じて、ビーコン信号の送信頻度および／または送信電力が制御される。このため、例えば、登録済み端末２０が使用されない時間帯では送信頻度および／または送信電力を大きく減少させれば、消費電力をよりいっそう削減できる。
【００７０】
ここで、端末登録は通常モードと待機モードの切り替えに利用することも可能である。例えば、接続情報管理部１６０Ｂのビーコン信号設定部１６３は、待機モード中に、予め登録された端末２０からの無線接続要求を認識したならば、即座に通常モードに切り替える。
【００７１】
より具体的には、アクセスポイント装置１０Ｂが端末２０から無線接続の要求に関連するマネージメントフレームを受信すると、マネージメントフレーム処理部１４０が接続情報管理部１６０へ、その受信を通知する。
【００７２】
なお、上記の無線接続の要求に関連するマネージメントフレームは、例えば、ビーコン信号に対する応答に用いられるAuthenticationフレームであるが、それに限定されるものではない。ビーコン信号とは無関係のマネージメントフレーム（例えば、アクティブスキャン方式で用いられるProbe Requestフレーム）や、ＩＥＥＥ８０２．１１規格に規定された各種のマネージメントフレームを、上記マネージメントフレームとして利用可能である。また、上記マネージメントフレームは、アクセスポイント装置１０Ｂ宛にユニキャストされたものであってもよいし、あるいは、ブロードキャストされたものであってもよい。
【００７３】
マネージメントフレーム処理部１４０から上記通知を受けた接続情報管理部１６０Ｂでは、ビーコン信号設定部１６３が、上記通知に係る端末２０が記憶部１６１に登録されているか否かをチェックする。そして、当該端末２０が登録済みである場合、ビーコン信号設定部１６３は即座に、ビーコン信号の設定を待機モードから通常モード（ビーコン信号を連続送信する）に切り替える。
【００７４】
なお、通常モードに切り替えた後は、実施の形態１と同様に、無線接続中の端末２０が１台以上存在する間、通常モードを維持する。但し、通常モードに切り替えた後、一定時間を過ぎても、端末２０が接続されない場合、待機モードを再開する。
【００７５】
かかるモード切り替えは、例えば、端末２０が、接続処理の最中であってもビーコン信号の不受信によって接続処理を終了させる仕様に準拠している場合に好適である。すなわち、通常モードに切り替えることによってビーコン信号の送信頻度および／または送信電力が増加し、これによりビーコン信号の不受信の可能性を低減可能である。よって、接続処理の中途終了を防止できる。
【００７６】
＜変形例＞
本発明は、その発明の範囲内において、各実施の形態を自由に組み合わせたり、各実施の形態を適宜、変形、省略することが可能である。
【符号の説明】
【００７７】
１０，１０Ｂ  無線アクセスポイント装置、２０  無線クライアント端末、１２０  無線通信処理部、１４０  マネージメントフレーム処理部（接続制御部）、１６０，１６０Ｂ  接続情報管理部、１６１  記憶部、１６２  確率算出部、１６３  ビーコン信号設定部、１６４  登録処理部、Ｐave  無線接続発生確率。
【図１】
2013258625.tif 000003
【図２】
2013258625.tif 000004
【図３】
2013258625.tif 000005
【図４】
2013258625.tif 000006
【図５】
2013258625.tif 000007
【図６】
2013258625.tif 000008